(57)【要約】【課題】止水性を向上できるとともに、コーナー側端面同士の位置決めを行うことができ、コストを低減させることが可能な建物のコーナー部構造を提供することを目的とする。【解決手段】平板状を呈する一方の外装材１０のコーナー側端面１３と、平板状を呈する他方の外装材２０のコーナー側端面２３とを接合してなり、一方の外装材１０のコーナー側端面１３は傾斜部１４と凸部１６とを備え、他方の外装材２０のコーナー側端面２３は傾斜部２４と凹部２６とを備えており、少なくとも一方のコーナー側端面１３に弾力性を有する止水手段３０が設けられていることを特徴とする建物のコーナ部１構造。これにより、止水性を向上できるとともに、コーナー側端面同士の位置決めを行うことができ、コストを低減させることが可能となる。【選択図】図１
2011038333.tif 000002
【特許請求の範囲】
【請求項１】
平板状を呈する一方の外装材のコーナー側端面と、平板状を呈する他方の外装材のコーナー側端面とを接合してなる建物のコーナー部構造において、
前記一方の外装材のコーナー側端面は、この一方の外装材の正面および背面に対して所定の角度に傾斜する傾斜部と、この一方の外装材のコーナー側端面の長さ方向に延在するとともに前記他方の外装材のコーナー側端面に向かって突出する凸部とを備えており、
前記他方の外装材のコーナー側端面は、この他方の外装材の正面および背面に対して所定の角度に傾斜する傾斜部と、この他方の外装材のコーナー側端面の長さ方向に延在するとともに前記一方の外装材のコーナー側端面の凸部と合致する凹部とを備えており、
前記一方および他方の外装材のコーナー側端面のうち、少なくとも一方のコーナー側端面に、該コーナー側端面の長さ方向に沿って、弾力性を有する止水手段が設けられていることを特徴とする建物のコーナー部構造。
【請求項２】
請求項１に記載の建物のコーナー部構造において、
前記一方および他方の外装材のコーナー側端面のうち、少なくとも一方のコーナー側端面に、該コーナー側端面の長さ方向に沿って溝部が形成されており、
この溝部に、前記止水手段が、該溝部が形成されるコーナー側端面よりも隆起するようにして設けられていることを特徴とする建物のコーナー部構造。
【請求項３】
請求項２に記載の建物のコーナー部構造において、
前記一方の外装材のコーナー側端面に形成される溝部と、前記他方の外装材のコーナー側端面に形成される溝部とは互い違いになるように配置されていることを特徴とする建物のコーナー部構造。
【請求項４】
請求項１〜３のいずれか一項に記載の建物のコーナー部構造において、
前記凸部および凹部は、前記コーナー側端面の中央付近、または前記外装材の背面側に位置していることを特徴とする建物のコーナー部構造。
【請求項５】
請求項１〜４のいずれか一項に記載の建物のコーナー部構造において、
前記一方の外装材のコーナー側端部には、この一方の外装材の正面およびコーナー側端面に対して所定の角度に傾斜するようにして第１面取り部が形成されており、
前記他方の外装材のコーナー側端部には、この他方の外装材の正面およびコーナー側端面に対して所定の角度に傾斜するようにして第２面取り部が形成されており、
これら第１および第２面取り部は、平面視において一直線上に配置されていることを特徴とする建物のコーナー部構造。
【請求項６】
請求項５に記載の建物のコーナー部構造において、
前記第１および第２面取り部には、前記一方の外装材のコーナー側端面と、他方の外装材のコーナー側端面との間の隙間を塞ぐためのシーリング材が設けられていることを特徴とする建物のコーナー部構造。
【発明の詳細な説明】
【技術分野】
【０００１】
本発明は、住宅等の建物のコーナー部構造に関する。
【背景技術】
【０００２】
住宅等の建物の外壁を施工する場合、工場または建築現場で壁の表面に外装材を取り付けることによって外壁の施工を行う方法がある。このような方法で外壁を施工する場合において、建物のコーナー部に外装材を取り付ける際は、例えば平面視略Ｌ字型のコーナー用外装材が用いられている（例えば、特許文献１，２参照）。
【先行技術文献】
【特許文献】
【０００３】
【特許文献１】特開平０９−０７２０６８号公報
【特許文献２】特許第２７８９０１３号公報
【発明の概要】
【発明が解決しようとする課題】
【０００４】
ところが、建物のコーナー部を施工するに際し、平面視略Ｌ字型のコーナー用外装材を用いる場合のコストは、例えば平板状を呈する一方および他方の外装材同士を接合して建物のコーナー部を施工する場合に比して、平面視略Ｌ字型のコーナー用外装材を製作する分、コストが高くなる場合がある。
そこで、このような平面視略Ｌ字型のコーナー用外装材を用いずに、平板状を呈する一方の外装材のコーナー側端面と、平板状を呈する他方の外装材のコーナー側端面とを接合して建物のコーナー部を形成したいという要望がある。
また、一方の外装材のコーナー側端面と、他方の外装材のコーナー側端面とを接合した際のコーナー部における止水性を向上させたいという要望もある。
さらに、平板状を呈する一方および他方の外装材によってコーナー部を形成する際に、一方のコーナー側端面と他方のコーナー側端面とを当接させたとしても、単に平らな面を当接させるだけでは、コーナー側端面同士の位置ずれ等が生じてしまう場合がある。
【０００５】
本発明の課題は、止水性を向上できるとともに、コーナー側端面同士の位置決めを行うことができ、コストを低減させることが可能な建物のコーナー部構造を提供することを目的とする。
【課題を解決するための手段】
【０００６】
請求項１に記載の発明は、例えば図１〜図４に示すように、平板状を呈する一方の外装材１０のコーナー側端面１３と、平板状を呈する他方の外装材２０のコーナー側端面２３とを接合してなる建物のコーナー部構造において、
前記一方の外装材１０のコーナー側端面１３は、この一方の外装材１０の正面１１および背面１２に対して所定の角度に傾斜する傾斜部１４（１５）と、この一方の外装材１０のコーナー側端面１３の長さ方向に延在するとともに前記他方の外装材２０のコーナー側端面２３に向かって突出する凸部１６（１６ａ）とを備えており、
前記他方の外装材２０のコーナー側端面２３は、この他方の外装材２０の正面２１および背面２２に対して所定の角度に傾斜する傾斜部２４（２５）と、この他方の外装材２０のコーナー側端面２３の長さ方向に延在するとともに前記一方の外装材１０のコーナー側端面１３の凸部１６（１６ａ）と合致する凹部２６（２６ａ）とを備えており、
前記一方および他方の外装材１０，２０のコーナー側端面１３，２３のうち、少なくとも一方のコーナー側端面１３（２３）に、該コーナー側端面１３（２３）の長さ方向に沿って、弾力性を有する止水手段３０が設けられていることを特徴とする。
【０００７】
請求項１に記載の発明によれば、平板状を呈する一方の外装材１０のコーナー側端面１３と、平板状を呈する他方の外装材２０のコーナー側端面２３とを接合することで、例えば平面視略Ｌ字型のコーナー用外装材を用いずとも、コーナー部１を確実に形成できるので、平面視略Ｌ字型のコーナー用外装材を製作しない分、コストを低減できる。
さらに、前記一方の外装材１０のコーナー側端面１３は、前記傾斜部１４（１５）と凸部１６（１６ａ）とを備えており、前記他方の外装材２０のコーナー側端面２３は、前記傾斜部２４（２５）と凸部１６（１６ａ）と合致する凹部２６（２６ａ）とを備えているので、これら凸部１６（１６ａ）と凹部２６（２６ａ）とを合致させることで、前記一方の外装材１０のコーナー側端面１３と、前記他方の外装材２０のコーナー側端面２３とを位置決めでき、前記一方の外装材１０のコーナー側端面１３と、前記他方の外装材２０のコーナー側端面２３とを位置ずれなく接合できる。
また、前記一方の外装材１０のコーナー側端面１３と、前記他方の外装材２０のコーナー側端面２３との隙間は、前記凸部１６（１６ａ）および凹部２６（２６ａ）が設けられた部分で角度が変わることになるので、コーナー部１の出隅側から入隅側に向かうつれて陰となる。これによって、前記一方および他方の外装材１０，２０の裏面側の空間を隠すことができるので、外観性を向上できるとともに、単に真っ直ぐに形成される隙間に比して入り組んでいる分、止水性を向上させることができる。
また、前記一方および他方の外装材１０，２０のコーナー側端面１３，２３のうち、少なくとも一方のコーナー側端面１３（２３）に、該コーナー側端面１３（２３）の長さ方向に沿って、弾力性を有する止水手段３０が設けられているので、前記一方の外装材１０のコーナー側端面１３と、他方の外装材２０のコーナー側端面２３との間で押圧して弾性変形させることができる。したがって、前記止水手段３０を、この止水手段３０の取付位置から前記コーナー部１の出隅側および入隅側方向に向かって広げるようにして弾性変形できるので、この止水手段３０による止水範囲を前記コーナー部１の出隅側から入隅側に向かって広く確保できる。これによって、前記一方の外装材１０のコーナー側端面１３と、前記他方の外装材２０のコーナー側端面２３との隙間からの雨水等の浸入を確実に防ぐことができるので、前記コーナー部１の止水性をより向上させることが可能となる。
【０００８】
請求項２に記載の発明は、例えば図１〜図３に示すように、請求項１に記載の建物のコーナー部構造において、
前記一方および他方の外装材１０，２０のコーナー側端面１３，２３のうち、少なくとも一方のコーナー側端面１３（２３）に、該コーナー側端面１３（２３）の長さ方向に沿って溝部１７（２７）が形成されており、
この溝部１７（２７）に、前記止水手段３０が、該溝部１７（２７）が形成されるコーナー側端面１３（２３）よりも隆起するようにして設けられていることを特徴とする。
【０００９】
請求項２に記載の発明によれば、前記溝部１７（２７）に、前記止水手段３０が、該溝部１７（２７）が形成されるコーナー側端面１３（２３）よりも隆起するようにして設けられているので、前記止水手段３０を弾性変形させて、この止水手段３０による止水範囲を前記コーナー部１の出隅側から入隅側に向かって広く確保できるだけでなく、単に、前記コーナー側端面１３（２３）の平らな部分に前記止水手段３０を設ける場合に比して、この止水手段３０が取り外れにくくなる。
【００１０】
請求項３に記載の発明は、例えば図３（ｃ），（ｄ）に示すように、請求項２に記載の建物のコーナー部構造において、
前記一方の外装材１０のコーナー側端面１３に形成される溝部１７と、前記他方の外装材２０のコーナー側端面２３に形成される溝部２７とは互い違いになるように配置されていることを特徴とする。
【００１１】
請求項３に記載の発明によれば、前記一方の外装材１０のコーナー側端面１３に形成される溝部１７と、前記他方の外装材２０のコーナー側端面２３に形成される溝部２７とは互い違いになるように配置されているので、前記一方のコーナー側端面１３の溝部１７に設けられる止水手段３０と、前記他方のコーナー側端面２３の溝部２７に設けられる止水手段３０とによって、前記コーナー部１の出隅側から入隅側に向かって二重に止水することができる。
【００１２】
請求項４に記載の発明は、例えば図１〜図４に示すように、請求項１〜３のいずれか一項に記載の建物のコーナー部構造において、
前記凸部１６（１６ａ）および凹部２６（２６ａ）は、前記コーナー側端面１３，２３の中央付近、または前記外装材１０，２０の背面１２，２２側に位置していることを特徴とする。
【００１３】
請求項４に記載の発明によれば、前記凸部１６（１６ａ）および凹部２６（２６ａ）は、前記コーナー側端面１３，２３の中央付近、または前記外装材１０，２０の背面１２，２２側に位置しているので、前記凸部１６（１６ａ）および凹部２６（２６ａ）を、外部に露出するようにして前記外装材１０，２０の正面１１，２１側に設ける場合とは異なり、前記一方の外装材１０のコーナー側端面１３と、前記他方の外装材２０のコーナー側端面２３との間の隙間を、コーナー部１の出隅部分に形成でき、外観性に優れる。
また、前記他方の外装材２０のコーナー側端面２３において、前記凹部２６（２６ａ）を、コーナー側端面２３の中央付近よりも前記外装材２０の正面２１側に近接した位置に設けると、前記凹部２６（２６ａ）を、コーナー側端面２３の中央付近よりも前記外装材２０の正面２１側に近接した位置に設ける場合に比して、この他方の外装材２０のコーナー側端部が薄く形成されてしまうことになる。これに対し、前記凹部２６（２６ａ）は、前記コーナー側端面２３の中央付近、または前記外装材２０の背面２２側に位置しているので、前記他方の外装材２０のコーナー側端部が薄くなることを確実に防ぐことができるので、この他方の外装材２０のコーナー側端部の強度を向上させることができ、破損しにくくすることができる。
【００１４】
請求項５に記載の発明は、例えば図１〜図４に示すように、請求項１〜４のいずれか一項に記載の建物のコーナー部構造において、
前記一方の外装材１０のコーナー側端部には、この一方の外装材１０の正面１１およびコーナー側端面１３に対して所定の角度に傾斜するようにして第１面取り部１８が形成されており、
前記他方の外装材２０のコーナー側端部には、この他方の外装材２０の正面２１およびコーナー側端面２３に対して所定の角度に傾斜するようにして第２面取り部２８が形成されており、
これら第１および第２面取り部１８，２８は、平面視において一直線上に配置されていることを特徴とする。
【００１５】
請求項５に記載の発明によれば、前記一方の外装材１０のコーナー側端部には前記第１面取り部１８が形成されており、前記他方の外装材２０のコーナー側端部には前記第２面取り部２８が形成されており、これら第１および第２面取り部１８，２８は、平面視において一直線上に配置されているので、コーナー部１付近において、前記一方の外装材１０と他方の外装材２０とに一体感を与えることができ、より外観性に優れる。
さらに、コーナー部１の出隅部分を平坦に形成できるので、前記一方および他方の外装材１０，２０のコーナー側端部に前記第１および第２面取り部１８，２８を形成しない場合に比して、前記一方および他方の外装材１０，２０のコーナー側端部の損壊を確実に防ぐことができる。
【００１６】
請求項６に記載の発明は、例えば図１〜図４に示すように、請求項５に記載の建物のコーナー部構造において、
前記第１および第２面取り部１８，２８には、前記一方の外装材１０のコーナー側端面１３と、他方の外装材２０のコーナー側端面２３との間の隙間を塞ぐためのシーリング材３１が設けられていることを特徴とする。
【００１７】
請求項６に記載の発明によれば、前記第１および第２面取り部１８，２８には、前記一方の外装材１０のコーナー側端面１３と、他方の外装材２０のコーナー側端面２３との間の隙間を塞ぐためのシーリング材３１が設けられているので、このシーリング材３１によって、前記止水手段３０よりも先に、前記一方の外装材１０のコーナー側端面１３と、他方の外装材２０のコーナー側端面２３との間の隙間を確実に塞ぐことができる。
これによって、前記一方の外装材１０のコーナー側端面１３と、前記他方の外装材２０のコーナー側端面２３との隙間からの雨水等の浸入をより確実に防ぐことができるので、前記コーナー部１の止水性をより一層向上させることが可能となる。
【発明の効果】
【００１８】
本発明によれば、平板状を呈する一方の外装材のコーナー側端面と、平板状を呈する他方の外装材のコーナー側端面とを接合することで、例えば平面視略Ｌ字型のコーナー用外装材を用いずとも、コーナー部を確実に形成できるので、平面視略Ｌ字型のコーナー用外装材を製作しない分、コストを低減できる。
さらに、一方の外装材のコーナー側端面は、傾斜部と凸部とを備えており、他方の外装材のコーナー側端面は、傾斜部と凸部と合致する凹部とを備えているので、これら凸部と凹部とを合致させることで、一方の外装材のコーナー側端面と、他方の外装材のコーナー側端面とを位置決めでき、一方の外装材のコーナー側端面と、他方の外装材のコーナー側端面とを位置ずれなく接合できる。
また、一方の外装材のコーナー側端面と、他方の外装材のコーナー側端面との隙間は、傾斜部と傾斜部との間の部分から、凸部と凹部との間の部分に向かうにつれて角度が変わることになるので、コーナー部の出隅側から入隅側に向かうつれて陰となる。これによって、一方および他方の外装材の裏面側の空間を隠すことができるので、外観性を向上できるとともに、単に真っ直ぐに形成される隙間に比して入り組んでいる分、止水性を向上させることができる。
また、一方および他方の外装材のコーナー側端面のうち、少なくとも一方のコーナー側端面に、該コーナー側端面の長さ方向に沿って、弾力性を有する止水手段が設けられているので、一方の外装材のコーナー側端面と、他方の外装材のコーナー側端面との間で押圧して弾性変形させることができる。したがって、止水手段を、この止水手段の取付位置からコーナー部の出隅側および入隅側方向に向かって広げるようにして弾性変形できるので、この止水手段による止水範囲をコーナー部の出隅側から入隅側に向かって広く確保できる。これによって、一方の外装材のコーナー側端面と、他方の外装材のコーナー側端面との隙間からの雨水等の浸入を確実に防ぐことができるので、コーナー部の止水性をより向上させることが可能となる。
【図面の簡単な説明】
【００１９】
【図１】本発明の建物のコーナー部構造を示す平断面図である。
【図２】図１に示す建物のコーナー部構造の一部を示す拡大平断面図である。
【図３】止水手段を設ける位置のパターンを示す拡大平断面図である。
【図４】凹部および凸部の形状・形成位置のパターンを示す拡大平断面図である
【図５】上下方向に隣り合う外装材の端部同士の連結状態を示す拡大断面図である。
【発明を実施するための形態】
【００２０】
以下、図面を参照して本発明の実施の形態について説明する。
図１は本発明に係る建物のコーナー部構造の一例を示す平断面図である。
図１において符号１は、コーナー部を示す。このコーナー部１は、一方の壁パネル２と他方の壁パネル３とを直交させて、外装材１０，２０を取り付ける下地を形成するとともに、これら一方のおよび他方の壁パネル２，３の表面に外装材１０，２０を取り付けることによって構成されている。
なお、前記壁パネル２，３は、縦横の框材が矩形状に組み立てられるとともに、矩形枠の内部に補助桟材が縦横に組み付けられて枠体が構成され、この枠体の両面に面材が貼設されたものであり、内部中空な構造となっている。さらに、その内部中空な部分には、通常、グラスウールやロックウール等の断熱材が装填される。
また、外装材１０，２０を取り付ける下地は、例えば、コーナー部１に立設される断面四角形状の柱等でもよいものとする。
【００２１】
また、前記一方および他方の外装材１０，２０としては、例えば軽量気泡コンクリートやケイ酸カルシウム板等の無機材料系のものが用いられており、所定の厚さ寸法に設定された矩形平板状のものである。このような一方および他方の外装材１０，２０を、コーナー部１の下地に固定する際は、例えば釘等の止着材によって固定してもよいし、専用の金具を用いて固定してもよい。
本実施の形態において前記外装材１０，２０は、図１および図５に示すように、複数の連結金具５を用いて、前記コーナー部１の下地に取り付けられている。
【００２２】
また、前記一方の外装材１０のコーナー側端面１３は、この一方の外装材１０の正面１１および背面１２に対して所定の角度に傾斜する傾斜部１４と、この一方の外装材１０のコーナー側端面１３の長さ方向に延在するとともに前記他方の外装材２０のコーナー側端面２３に向かって突出する凸部１６とを備えている。
前記傾斜部１４は、前記コーナー側端面１３のうち、コーナー部１の出隅側に位置しており、前記凸部１６は、前記コーナー側端面１３のうち、コーナー部１の入隅側に位置している。
なお、前記凸部１６は、底辺が、前記傾斜部１４の延長線上に配置され、頂角が、前記他方の外装材２０のコーナー側端面２３に向かって突出する直角二等辺三角形状に形成されている。
【００２３】
前記他方の外装材２０のコーナー側端面２３は、この他方の外装材２０の正面２１および背面２２に対して所定の角度に傾斜する傾斜部２４と、この他方の外装材２０のコーナー側端面２３の長さ方向に延在するとともに前記一方の外装材１０のコーナー側端面１３の凸部１６と合致する凹部２６とを備えている。
前記傾斜部２４は、前記コーナー側端面２３のうち、コーナー部１の出隅側に位置しており、前記凹部２６は、前記コーナー側端面２３のうち、コーナー部１の入隅側に位置している。
なお、前記凹部２６は、直角二等辺三角形状に形成された前記凸部１６を合致させるための直角二等辺三角形状の凹みを成している。
【００２４】
なお、前記凸部１６および凹部２６は、それぞれコーナー側端面１３，２３の入隅側に位置しているものとしたが、これに限られるものではなく、図４（ａ）に示すように、前記凸部１６および凹部２６を、コーナー側端面１３，２３の中央付近に設けるようにしてもよい。
【００２５】
さらに、前記凸部１６は直角二等辺三角形状としたが、これに限られるものではなく、図４（ｂ），（ｃ）に示すように、例えば半円状に形成したもの（凸部１６ａ）や、図示しない三角形状、四角形状のもの等でもよく、適宜変更可能である。
これに応じて、前記凹部２６も、半円状のもの（凹部２６ａ）や、図示しない三角形状、四角形状の凹部としてもよく、凸部１６(１６ａ)と合致させることが可能な形状であれば、適宜変更可能である。
【００２６】
また、図１および図２に示すように、前記一方の外装材１０のコーナー側端部には、この一方の外装材１０の正面１１およびコーナー側端面１３に対して所定の角度に傾斜するようにして第１面取り部１８が形成されている。
また、前記他方の外装材２０のコーナー側端部には、この他方の外装材２０の正面２１およびコーナー側端面２３に対して所定の角度に傾斜するようにして第２面取り部２８が形成されている。
さらに、これら第１および第２面取り部１８，２８は、平面視において一直線上に配置されている。
【００２７】
また、これら一方および他方の外装材１０，２０の正面１１，２１には、複数のタイル１１ａ…，２１ａ…がそれぞれ貼り付けられている。
これら複数のタイル１１ａ…，２１ａ…のうち、コーナー部１の出隅部分に臨むタイル１１ａ…，２１ａ…は、前記コーナー側端面１３，２３の出隅側端部から所定間隔離間して貼り付けられており、これらコーナー部１の出隅部分に臨むタイル１１ａ…，２１ａ…が所定間隔離間する分のスペースに、前記第１および第２面取り部１８，２８が形成されている。
【００２８】
また、前記外装材１０は、図１および図５に示すように、下端部に上サネ１０ａと被係合部１０ｂとを備え、上端部に下サネ１０ｃを備えている。
また、前記連結金具５は、前記被係合部１０ｂに係合する係合部５ａと、前記下サネ１０ｃに係合する係合部５ｂとを備えている。
そして、前記外装材１０は、前記連結金具５を、前記他方の壁パネル３のコーナー側端部に取り付けられた縦胴縁４，４の高さ方向に沿って点在するように固定するとともに、これら連結金具５，５間に、該外装材１０を挟み込むようにして、前記コーナー部１の下地に取り付けられている。
この時、前記縦胴縁４，４の高さ方向に沿って隣り合う連結金具５，５のうち、下方に位置する連結金具５の係合部５ａは、前記外装材１０の下端部の被係合部１０ｂに係合しており、上方に位置する連結金具５の係合部５ｂは、前記外装材の１０の上端部の被係合部１０ｃに係合している。
なお、前記外装材２０も同様に、前記複数の連結金具５，５を用いて前記コーナー部１の下地に取り付けられることになる。
【００２９】
また、前記一方のコーナー側端面１３には、図１および図２に示すように、該コーナー側端面１３の長さ方向に沿って溝部１７が形成されている。
この溝部１７は、平断面視において円弧状に欠き込まれており、この溝部１７には、コーナー側端面１３の長さ方向に沿って、弾力性を有する止水手段３０が、該溝部１７が形成されるコーナー側端面１３よりも隆起するようにして設けられている。
【００３０】
前記止水手段３０は、例えばホットメルトが用いられており、前記溝部１７に対して、前記コーナー側端面１３よりも隆起するようにして充填されることになる。
また、このホットメルト３０は加熱状態で粘着性があるため、加熱状態で前記溝部１７に設けられることによって該溝部１７に密着することになる。また、常温では粘着性がない。本実施の形態において、このホットメルト３０は、コーナー部１の施工前に常温状態にして用いられている。
したがって、このホットメルト３０の代わりに、例えばブチルゴムや乾質の止水材等を用いてもよいものとする。乾質の止水材としては、前記コーナー側端面１３の長さ方向に沿って貼り付けられるテープ状のものが好ましい。
【００３１】
また、本実施の形態において、前記溝部１７は、前記凸部１６の出隅側の辺に形成されており、前記止水手段であるホットメルト３０も、この溝部１７に充填されるようにして、かつ前記コーナー側端面１３よりも隆起するようにして、前記凸部１６の出隅側の辺に設けられている。
【００３２】
そして、コーナー部１を施工する際は、この止水手段であるホットメルト３０は、前記一方の外装材１０のコーナー側端面１３と、他方の外装材２０のコーナー側端面２３との間で押圧して弾性変形させることができる。
したがって、前記ホットメルト３０を、図２に示すように、このホットメルト３０の取付位置から前記コーナー部１の出隅側および入隅側方向に向かって広げるようにして弾性変形できるので、このホットメルト３０による止水範囲を前記コーナー部１の出隅側から入隅側に向かって広く確保できるようになっている。
【００３３】
なお、前記溝部１７は、前記凸部１６の出隅側の辺に形成されるものとしたが、これに限られるものではなく、図３（ａ）に示すように、前記凸部１６の入隅側の辺に形成されていてもよいし、図３（ｂ）に示すように、前記傾斜部１４に形成されていてもよい。
【００３４】
また、前記溝部１７は、前記一方の外装材１０のコーナー側端面１３に形成されるものとしたが、これに限られるものではなく、前記他方の外装材２０のコーナー側端面２３に形成されていてもよいし、図３（ｃ），（ｄ）に示すように、前記一方の外装材１０のコーナー側端面１３と、前記他方の外装材２０のコーナー側端面２３との双方に形成されるものとしてもよい。
その際、前記一方の外装材１０のコーナー側端面１３に形成される溝部１７と、前記他方の外装材２０のコーナー側端面２３に形成される溝部２７とは互い違いになるように配置されているものとする。
すなわち、前記一方のコーナー側端面１３の溝部１７に設けられる止水手段３０と、前記他方のコーナー側端面２３の溝部２７に設けられる止水手段３０とによって、前記コーナー部１の出隅側から入隅側に向かって二重に止水することができる。
【００３５】
また、このように止水手段３０を設ける構成は、前記外装材１０，２０のコーナー側端部だけに限られるものではなく、上下に隣り合う外装材１０，１０（２０，２０）間に適用されてもよいものとする。
すなわち、上方に位置する外装材１０の下端部の上サネ１０ａと、下方に位置する外装材１０の上端部の下サネ１０ｃとのうち、少なくとも一方に溝部１０ｄを形成し、この溝部１０ｄに止水手段３０を設けるようにしてもよい。
【００３６】
なお、本実施の形態においては、前記外装材１０について説明すると、図５に示すように、下方に位置する外装材１０の上端部の下サネ１０ｃに溝部１０ｄを形成し、この溝部１０ｄに止水手段であるホットメルト３０が、前記下サネ１０ｃの表面よりも隆起するようにして充填されている。これによって、上下に隣り合う外装材１０，１０間の止水性を向上できるようになっている。
そして、図示はしないが、これら上下に隣り合う外装材１０，１０の場合と同じく、上下に隣り合う外装材２０，２０も、止水手段であるホットメルト３０が設けられる構成となっている。
【００３７】
また、前記第１および第２面取り部１８，２８には、図１および図２に示すように、前記一方の外装材１０のコーナー側端面１３と、他方の外装材２０のコーナー側端面２３との間の隙間を塞ぐためのシーリング材３１が設けられている。
このようにシーリング材３１を設けることによって、前記止水手段３０よりも先に、前記一方の外装材１０のコーナー側端面１３と、他方の外装材２０のコーナー側端面２３との間の隙間を確実に塞ぐことができる。
なお、このシーリング材３１は、前記一方の外装材１０のコーナー側端面１３と、他方の外装材２０のコーナー側端面２３との間の隙間を塞ぐことができれば、湿式でも乾式でもよく、適宜変更可能である。
【００３８】
なお、本実施の形態においては、前記外装材１０，２０を、前記コーナー部１の下地に取り付ける際は、まず、前記外装材１０，２０を取り付けるための下地を、前記一方および他方の壁パネル２，３と、縦胴縁４，４とで形成しておき、この下地に対して、前記複数の連結金具５，５を使用して、前記外装材１０，２０を前記下地に取り付けるようにする。
また、前記溝部１７（２７）は、前記コーナー側端面１３（２３）に予め形成しておくとともに、この溝部１７（２７）には、予め前記止水手段であるホットメルト３０を充填しておき、このホットメルト３０を常温状態にしておく。
さらに、上下に隣り合う外装材１０，１０間に止水手段であるホットメルト３０を設ける際も、予め溝部１０ｄを形成しておくとともに、ホットメルト３０を充填しておき、このホットメルト３０を常温状態にしておく。
【００３９】
また、予め工場等において、前記一方の外装材１０を、前記一方の壁パネル２に取り付けるとともに、前記他方の外装材２０を、前記他方の壁パネル３に取り付けておいてもよい。そして、現場にて、外装材１０，２０が取り付けられた状態の壁パネル２，３同士を接合し、コーナー部１を形成するなどして、工期の短縮を図るようにしてもよい。
【００４０】
本実施の形態によれば、平板状を呈する一方の外装材１０のコーナー側端面１３と、平板状を呈する他方の外装材２０のコーナー側端面２３とを接合することで、例えば平面視略Ｌ字型のコーナー用外装材を用いずとも、コーナー部１を確実に形成できるので、平面視略Ｌ字型のコーナー用外装材を製作しない分、コストを低減できる。
【００４１】
さらに、前記一方の外装材１０のコーナー側端面１３は、前記傾斜部１４（１５）と凸部１６（１６ａ）とを備えており、前記他方の外装材２０のコーナー側端面２３は、前記傾斜部２４（２５）と凸部１６（１６ａ）と合致する凹部２６（２６ａ）とを備えているので、これら凸部１６（１６ａ）と凹部２６（２６ａ）とを合致させることで、前記一方の外装材１０のコーナー側端面１３と、前記他方の外装材２０のコーナー側端面２３とを位置決めでき、前記一方の外装材１０のコーナー側端面１３と、前記他方の外装材２０のコーナー側端面２３とを位置ずれなく接合できる。
【００４２】
また、前記一方の外装材１０のコーナー側端面１３と、前記他方の外装材２０のコーナー側端面２３との隙間は、前記凸部１６（１６ａ）および凹部２６（２６ａ）が設けられた部分で角度が変わることになるので、コーナー部１の出隅側から入隅側に向かうつれて陰となる。これによって、前記一方および他方の外装材１０，２０の裏面側の空間を隠すことができるので、外観性を向上できるとともに、単に真っ直ぐに形成される隙間に比して入り組んでいる分、止水性を向上させることができる。
【００４３】
また、前記一方および他方の外装材１０，２０のコーナー側端面１３，２３のうち、少なくとも一方のコーナー側端面１３（２３）に、該コーナー側端面１３（２３）の長さ方向に沿って溝部１７（２７）が形成されており、この溝部１７（２７）に、前記止水手段３０が、該溝部１７（２７）が形成されるコーナー側端面１３（２３）よりも隆起するようにして設けられていることから、前記止水手段３０を、前記一方の外装材１０のコーナー側端面１３と、他方の外装材２０のコーナー側端面２３との間で押圧し、この止水手段３０の取付位置から前記コーナー部１の出隅側および入隅側方向に向かって広げるようにして弾性変形できるので、この止水手段３０による止水範囲を前記コーナー部１の出隅側から入隅側に向かって広く確保できる。
これによって、前記一方の外装材１０のコーナー側端面１３と、前記他方の外装材２０のコーナー側端面２３との隙間からの雨水等の浸入を確実に防ぐことができるので、前記コーナー部１の止水性をより向上させることが可能となる。
また、単に、前記コーナー側端面１３（２３）の平らな部分に前記止水手段３０を設ける場合に比して、この止水手段３０が取り外れにくくなる。
【００４４】
また、前記凸部１６（１６ａ）および凹部２６（２６ａ）は、前記コーナー側端面１３，２３の中央付近、または前記外装材１０，２０の背面１２，２２側に位置しているので、前記凸部１６（１６ａ）および凹部２６（２６ａ）を、外部に露出するようにして前記外装材１０，２０の正面１１，２１側に設ける場合とは異なり、前記一方の外装材１０のコーナー側端面１３と、前記他方の外装材２０のコーナー側端面２３との間の隙間を、コーナー部１の出隅部分に形成でき、外観性に優れる。
【００４５】
また、前記他方の外装材２０のコーナー側端面２３において、前記凹部２６（２６ａ）を、コーナー側端面２３の中央付近よりも前記外装材２０の正面２１側に近接した位置に設けると、前記凹部２６（２６ａ）を、コーナー側端面２３の中央付近よりも前記外装材２０の正面２１側に近接した位置に設ける場合に比して、この他方の外装材２０のコーナー側端部が薄く形成されてしまうことになる。これに対し、前記凹部２６（２６ａ）は、前記コーナー側端面２３の中央付近、または前記外装材２０の背面２２側に位置しているので、前記他方の外装材２０のコーナー側端部が薄くなることを確実に防ぐことができるので、この他方の外装材２０のコーナー側端部の強度を向上させることができ、破損しにくくすることができる。
【００４６】
また、前記一方の外装材１０のコーナー側端部には前記第１面取り部１８が形成されており、前記他方の外装材２０のコーナー側端部には前記第２面取り部２８が形成されており、これら第１および第２面取り部１８，２８は、平面視において一直線上に配置されているので、コーナー部１付近において、前記一方の外装材１０と他方の外装材２０とに一体感を与えることができ、より外観性に優れる。
さらに、コーナー部１の出隅部分を平坦に形成できるので、前記一方および他方の外装材１０，２０のコーナー側端部に前記第１および第２面取り部１８，２８を形成しない場合に比して、前記一方および他方の外装材１０，２０のコーナー側端部の損壊を確実に防ぐことができる。
【００４７】
また、前記第１および第２面取り部１８，２８には、前記一方の外装材１０のコーナー側端面１３と、他方の外装材２０のコーナー側端面２３との間の隙間を塞ぐためのシーリング材３１が設けられているので、このシーリング材３１によって、前記止水手段３０よりも先に、前記一方の外装材１０のコーナー側端面１３と、他方の外装材２０のコーナー側端面２３との間の隙間を確実に塞ぐことができる。
これによって、前記一方の外装材１０のコーナー側端面１３と、前記他方の外装材２０のコーナー側端面２３との隙間からの雨水等の浸入をより確実に防ぐことができるので、前記コーナー部１の止水性をより一層向上させることが可能となる。
【符号の説明】
【００４８】
１  コーナー部
１０  外装材
１３  コーナー側端面
１４  傾斜部
１６  凸部
２０  外装材
２３  コーナー側端面
２４  傾斜部
２６  凹部
３０  止水手段
【図１】
2011038333.tif 000003
【図２】
2011038333.tif 000004
【図３】
2011038333.tif 000005
【図４】
2011038333.tif 000006
【図５】
2011038333.tif 000007